(57)【要約】  発光デバイスが開示される。発光デバイスは、発光デバイスを体の一部に配置して適合させるための可撓性のパッドを有し、可撓性のパッドは、３次元構造体を更に有し、３次元構造体は、発光デバイスが皮膚に適用されているときに、皮膚に接触させるための複数の突起と、発光デバイスが皮膚に適用されているときに、皮膚と可撓性のパッドとの間のクリアランスを生成するための複数の凹部と、複数の発光素子と係合するための複数の開口とを有する。
2014520586.tif 000002
【特許請求の範囲】
【請求項１】
発光デバイスであって、
複数の発光素子を有する発光モジュールと、
当該発光デバイスを体の一部に配置して適合させるための可撓性とを有し、
前記可撓性のパッドは、３次元構造体を有し、
前記３次元構造体は、
当該発光デバイスが皮膚に適用されているときに皮膚に接触するための、皮膚基準面を規定する複数の突起と、
当該発光デバイスが皮膚に適用されているときに、皮膚と前記可撓性のパッドとの間のクリアランスを生成するための複数の凹部と、
前記複数の発光素子と係合するための複数の開口とを有し、
前記複数の突起からの各突起は、幾何学的な形状の周囲に位置し、
各突起は、少なくとも１つの伸ばされた部分と少なくとも１つの引っ込められた部分とを更に有し、その結果、前記伸ばされた部分は前記引っ込められた部分より遠くに伸ばされ、前記少なくとも１つの伸ばされた部分は、当該発光デバイスが皮膚に適用しているときに皮膚に接触する、発光デバイス。
【請求項２】
前記少なくとも１つの引っ込められた部分は、当該発光デバイスが皮膚に適用しているときに、前記可撓性のパッドの前記皮膚基準面と平行な少なくとも１つの方向において前記可撓性のパッドと皮膚との間にクリアランスチャネルを生成するための前記少なくとも１つの方向における前記凹部と一致する、請求項１に記載の発光デバイス。
【請求項３】
前記突起の前記少なくとも１つの伸ばされた部分は、多角形構造の角状点、多角形の線セグメント又は円のアークに位置する、請求項１又は請求項２に記載の発光デバイス。
【請求項４】
前記規則的なパターンは、多角形又は円の閉じたパッキング、好ましくは六角形の閉じたパッキングである、請求項１〜３のうちいずれか一項に記載の発光デバイス。
【請求項５】
前記複数の凹部と前記複数の突起との間の高低差は、前記可撓性のパッドの前記皮膚基準面に対して直交する方向において、少なくとも約０．５ｍｍ、好ましくは１．５ｍｍある、請求項１〜４のうちいずれか一項に記載の発光デバイス。
【請求項６】
前記可撓性のパッドの前記皮膚基準面と平行な方向における前記突起の幅は、前記凹部の幅の５０％未満、好ましくは２０％未満、最も好ましくは約１０％である、請求項１〜５のうちいずれか一項に記載の発光デバイス。
【請求項７】
前記可撓性のパッドの前記皮膚基準面と平行な方向における前記凹部の幅は、５ｍｍと２０ｍｍとの間、好ましくは１０ｍｍと１５ｍｍとの間である、請求項１〜６のうちいずれか一項に記載の発光デバイス。
【請求項８】
前記３次元構造体は、織られた構造体又は発泡体構造を有する、請求項１〜７のうちいずれか一項に記載の発光デバイス。
【請求項９】
前記３次元構造体は、撥水性及び容易に洗浄可能な表面を有する、請求項１〜８のうちいずれか一項に記載の発光デバイス。
【請求項１０】
前記複数の発光素子は、４３０ｎｍから４６０ｎｍまでの波長範囲、好ましくは約４５３ｎｍの光を放射する、請求項１〜９のうちいずれか一項に記載の発光デバイス。
【請求項１１】
前記可撓性のパッドは、照射エリア及び暗いエリアを更に有し、
前記照射エリアは、前記複数の開口の少なくとも一部を有し、前記暗いエリアは、前記複数の凹部の少なくとも一部を有する、請求項１〜１０のうちいずれか一項に記載の発光デバイス。
【請求項１２】
前記突起は、前記照射エリア及び前記暗いエリア全体に渡って延在するように規則的なパターンで配置される、請求項１１に記載の発光デバイス。
【請求項１３】
前記暗いエリアのサイズは、前記照射エリアの少なくとも半分のサイズ、好ましくは前記照射エリアと少なくとも同じサイズである、請求項１１に記載の発光デバイス。
【請求項１４】
請求項１〜１３のうちいずれか一項に記載の発光デバイスを含む、ウェアラブル、規格準拠の光治療デバイス。
【請求項１５】
痛みの軽減のための請求項１４に記載の光線治療デバイスの使用。
【発明の詳細な説明】
【技術分野】
【０００１】
本発明は、概して、発光デバイスの分野に関する。詳しくは、本発明は、皮膚にごく接近して用いられることを意図する、光治療のための発光デバイスに関する。
【背景技術】
【０００２】
光治療デバイスは、一般に、発光デバイスから放射された光により皮膚を照射又は放射することにより、例えば処理される被験者の皮膚層又は筋肉エリアにおいて、光誘発効果をもたらすための、例えば、１又はそれ以上の発光ダイオード（ＬＥＤ）又はレーザを含む発光デバイスを有する。斯様な処理の効果は、光出力又は照射の振幅及び適用される光エネルギの全体の線量に少なくとも部分的に依存し得る。実用的及び機能的な理由に関して、光治療デバイスが、これを着用するユーザにとって最大源の効率、更には最大の快適性を有するように皮膚に対してウェアラブルであることがしばしば望まれる。
【０００３】
米国特許出願公開第２００５０１８２４６０号明細書は、ハウジングユニット及びＬＥＤパッドを備えた光治療デバイスを開示している。ＬＥＤパッドは、可撓性のベース、ＬＥＤアレイ及び後部サポート部材を有する。可撓性のベースは複数の開口を含み、各開口は、その中に単一のＬＥＤを受けるように寸法される。可撓性のベースは、弾性収率を有する材料で作られ、より好ましくは、可撓性の発泡体で作られる。ベースの弾性特性は、可撓性のパッドが処理エリアの形状に適合することを可能にし、ユーザに快適なフィットを与える。ＬＥＤを受けるための開口を除いて、ＬＥＤパッドの上側表面はフラットである。このフラットな表面が皮膚と接触したときに、皮膚の低減された通気性が心配になり、皮膚の炎症の源になり得る。
【０００４】
国際公開第２００８／１４４１５７号は、毛／頭皮の低レベル光治療のための光治療キャップインサートを開示しており、均一の照射を達成するために適切に広がる個々のＬＥＤビームのための適切な分離を維持するために、ＬＥＤアレイを適切なパターンで敷設している下の毛からなる光発光体−頭皮分離層と組み合わせられた広角発光の面発光ＬＥＤのアレイを有する。分離層は、ＬＥＤに対して配向される複数の開口部を含む。
【発明の概要】
【発明が解決しようとする課題】
【０００５】
上記の考察からみて、デバイスの使用の間、皮膚に適合し、皮膚に接触するための外面を有し、前記外面は、デバイスが皮膚に適用されているときに皮膚の継続的な呼吸又は発汗を可能にするように設計される、発光デバイスを有することが有利であるだろう。また、デバイスが皮膚に適用されているときに、発光デバイスと皮膚との間の空気の自由な流れを維持することが望ましい。
【課題を解決するための手段】
【０００６】
これらの関心事の一つ以上に対処するために、独立請求項による発光デバイスが提供される。好ましい実施形態は従属請求項により規定される。
【０００７】
本発明の第１の態様によれば、発光デバイスを体の一部に配置して適合させるための可撓性のパッドを有する発光デバイスであって、前記可撓性のパッドは、３次元構造体を更に有し、前記３次元構造体は、当該発光デバイスが皮膚に適用されているときに、皮膚に接触させるための複数の突起と、当該発光デバイスが皮膚に適用されているときに、皮膚と前記可撓性のパッドとの間のクリアランスを生成するための複数の凹部と、複数の発光素子と係合するための複数の開口とを有する、発光デバイスが提供される。それ故、突起は、発光デバイスが体部分と接触しているときに皮膚表面と一致する皮膚基準平面を規定する。凹部は、発光デバイスが適用されているときに皮膚に接触していないエリアを可撓性のパッド上に与え、それ故、皮膚の継続的な呼吸を可能にする。複数の開口は、これらの発光素子から放射された光が皮膚の方向に可撓性のパッドを介して正しく放射されるように、好ましくは１対１で複数の発光素子と係合する。
【０００８】
本発明の別の実施例において、突起は、単一の特徴である。この出願の状況において、単一の特徴は、凸状の個々の特徴である。単一の特徴に着目した他の手段は、海から生じている（突出している）島との比較を行うことによるものである。この出願の状況における斯様な単一の特徴の例は、装飾的な握りであってもよく、線セグメント又はアーク等へ膨らませる。単一の特徴である突起の利点は、突起を囲んでいる凹部が開口構造体を生成することであり、これは、発光デバイスが皮膚に適用されているときに可撓性のパッドと皮膚との間の連続換気を可能にする。換気は、凹部がその特定の方向において好ましい低抵抗クリアランスチャネルを生成するように、可撓性のパッドの皮膚基準平面と平行な少なくとも１つの方向に複数の凹部を整列させることにより更に改良され得る。凹部は、これらが１つよりも多い方向に沿って整列し、これにより複数の好ましい方向において皮膚全体の換気を生成するように、規則的なパターンで配置され得る。
【０００９】
本発明の他の実施形態において、突起は、幾何学的な形状の周囲に対応し、単一の特徴は、周囲の幾つかの部分を更に外方に（突起の方向に）伸ばし、周囲の他の部分を更に内方に（突起に対して反対の方向に）引っ込めることにより生成される。この種の突起は、幾何学的な突起と更に呼ばれる場合がある。皮膚基準平面は、突起の伸ばされた部分により規定される。引っ込められた部分は、凹部のレベルまで引っ込められ得るか、又は、凹部と突起の伸ばされた部分との間の或るレベルまで引っ込められ得る。対応する幾何学的な形状の表面エリア、即ち周囲の範囲内のエリアは、凹部のレベルまで完全に引っ込められ得るか、又は、凹部と突起の伸ばされた部分との間の或るレベルまで、例えば凹部と突起の引っ込められた部分との間の或るレベルまで引っ込められ得る。それ故、幾何学的な形状の表面エリアは、凹部エリアであり、複数の凹部の部分と見なされ得る。突起の引っ込められた部分、くぼんだ表面エリア及び他の凹部は、皮膚基準平面と可撓性のパッドとの間のクリアランスを生成する。一例において、突起は、円周の幾つかの部分（例えば幾つかのアーク）が更に伸ばされ、及び、他の部分（例えば他のアーク）が引っ込められる円形形状を有してもよい。他の例において、突起は、六角形の形状を有してもよく、角状点が外方に伸ばされて線セグメントが引っ込められ、逆もまた同じである。他の幾何学的な形状（規則的な形状のみに限定されるものではない）は、突起を生成するために用いられ得る。更に、幾何学的な形状の異なるタイプは、１つの可撓性のパッドにおいて組み合わせられてもよく、例えば、可撓性のパッドの１つのエリアが三角形ベースの突起を備え得るのに対して他のエリアが六角形ベースの突起を備え得るか、又は、これらが混合され得る。突起及び凹部の輪郭として幾何学的な形状を用いる利点は、これらの突起及び凹部が、可撓性のパッドの表面全体のパターンにおいて設けられ、堅いグリッドを可撓性の層に加えるのと同様の手段で、可撓性のパッドの寸法の安定性を非常に向上させることができることにある。寸法の安定性は、可撓性のパッドを撓曲させて皮膚に適合させるときに重要である。
【００１０】
一実施形態において、突起は、多角形又は円の閉じたパッキングの仕組みに基づいて規則的なパターンで配置されてもよい。斯様なパターンを用いたときには、凹部も斯様な閉じたパッキングに従って配置される。閉じたパッキングの利点のうちの１つは、発光素子と係合するか又は発光素子を受けるための開口について述べたときに明白になるだろう。好ましい実施形態において、発光素子が受けられるべき、可撓性のパッドにおける位置において、幾何学的な形状のくぼんだ表面エリアは、開口を有するか又は開口に置換され得る。開口は、円筒、円錐、放物面のような任意の３次元形状、または、皮膚に対する放射光を指向するように光学的に最適化され得る任意の他の形状を有し得る。開口は、突出している幾何学的な形状のくぼんだ表面エリアを完全にふさいでもよいし、完全にふさがなくてもよい。幾何学的な形状の突出している周囲は、開口の外側リムと一致してもよいし、一致しなくてもよい。突起の閉じたパッキング構成の利点は、以下の通りである。
（ｉ）可撓性のパッドの外面に対する良好な寸法の安定性を提供する。
（ｉｉ）皮膚で放射された光のより高い光学密度を可能にする発光素子の閉じたパッキング構成を支援する。
（ｉｉｉ）可撓性のパッドと皮膚との間の複数の好ましい換気方向を生成するために、複数の方向に、即ち閉じたパッキングパターンの対称軸に沿って、凹部を自動的に整列させる。
（ｉｖ）閉じたパッキング構成は、可撓性のパッドの寸法安定性、光出力の光学密度及び換気効率（通気性及び汗排出）が最適化され得るようにスケーラブルである。
閉じたパッキング構成の好ましい例は、円形の突起の閉じたパッキング及び六角形の突起の閉じたパッキングである。
【００１１】
本発明の他の態様は、皮膚との突起の接触点により規定される皮膚基準平面に対して直交する方向において、可撓性のパッドの突起、凹部及び開口の高さを含む。突起と凹部との間の高低差は、可撓性のパッドのくぼんだ領域と皮膚との間に実行可能なクリアランス空間を生成するために、好ましくは、少なくとも０．５ｍｍ、より好ましくは、約１．５ｍｍである。他の伸ばされた部分及び引っ込められた部分を有する突起を用いたときには、例えば、可撓性のパッドの表面上に幾何学的な構造体を取り込む場合には、伸ばされた部分と引っ込められた部分との間の高低差は、例えば約０．８ｍｍのように、好ましくは少なくとも０．５ｍｍの範囲の低い範囲にある。幾何学的な構造体の伸ばされた部分とくぼんだ表面エリアとの間の高低差は、好ましくは、例えば約１．５ｍｍのように、若干大きい。開口は、高さ（おそらく、深度がより適切であるだろう）がもちろん可撓性のパッドの厚さに関連する"貫通孔"の特徴であり、値は、発光デバイスが皮膚に適用されたときに、発光デバイスと皮膚との間の好ましい距離又はクリアランスに基づいて選択される。この開示の状況において、発光素子の開口との"係合"は、対応する開口内に発光素子を差し込むことなく開口の前で発光素子を位置合わせすることに言及し得るか、又は、開口内に発光素子を部分的に又は完全に事実上差し込むことに言及し得る。発光デバイスが皮膚に適用されたときの発光デバイスと皮膚との間のクリアランスは、それ故、可撓性のパッドの厚さだけでなく発光素子の開口との係合の手段にも依存する。これらの特徴の高さは、可撓性のパッドが皮膚に適用されたときのパッドの換気機能、即ち、好ましくは、使用の間、最大限の人間工学的なフィット及び分離性を生成することが可能な程度に薄い可撓性のパッドの厚さと、発光デバイスが皮膚に適用されたときの発光素子と皮膚表面との間の距離に対する電気機械的又は光学的考察との間のトレードオフである。
【００１２】
本発明の他の寸法に関連した態様は、皮膚との突起の接触点により規定される皮膚基準平面と平行な方向において、可撓性のパッドの突起、凹部及び開口の幅を含む。凹部の幅より小さな突起の幅を有することが提案され、これは、凹部により確立されたクリアランスチャネルが可能な限り広くなり、これにより、これらのチャネルの換気能力を向上させることを可能にする。好ましい実施形態において、突起の幅は、凹部の幅の、５０％未満、好ましくは２０％未満、最も好ましくは約１０％未満である。この割合は、同じ幅を有し得る突起の伸ばされた部分と引っ込められた部分との間の幅の差に必ずしも当てはまるというわけではなく、これらの突起の伸ばされた部分と前記突起間のくぼんだ表面エリアとの間の幅の差に当てはまリ得る。本発明の他の寸法の態様は、皮膚との突起の接触点により規定される皮膚基準平面と平行な方向において、凹部の実際の幅を含む。凹部又はくぼんだ領域の幅は、約５ｍｍと約２０ｍｍとの間、好ましくは約１０ｍｍと約１５ｍｍとの間にあることが好ましい。凹部又はくぼんだ領域の実際の幅は、可撓性のパッドが皮膚に適用されたときに圧力に耐えるとともにクリアランスを維持する力に関して、換気能力（大きなくぼんだ領域）と寸法的安定性（小さなくぼんだ領域）との間のトレードオフである。
【００１３】
可撓性のパッドの３次元構造体は、織られた材料、発泡体、シリコン材料等を有し得る。突起、凹部及び開口は、成形、エンボシング、熱成形等により形成され得る。可撓性のパッドは、熱形成された3D nanosphereテキスタイルを備えてもよく、これは、皮膚での発光デバイスの使用の後、撥水性及び例えば適切な清潔さのための容易に洗浄可能な表面を有するという利点を有する。
【００１４】
好ましい実施形態において、発光デバイスは、発光素子が電子テキスタイル上に配置されるとともに電子テキスタイルにより支持される発光モジュールを有する。発光素子は、複数の青色ＬＥＤであってもよく、青色ＬＥＤは、４３０ｎｍ〜４６０ｎｍの波長範囲、好ましくは約４５３ｎｍの光を放射する。これらの波長範囲は、表面的な皮膚層の和らげる加温効果並びに皮膚及び筋肉構造のより深い層への穏やかな拡散熱を提供することにより、及び、血管が緩和して不純物が血流を介してより容易に除去されるように皮膚及び血管におけるＮＯの生成及び拡散を刺激することにより、鎮痛に対して効果的であることを示した。
【００１５】
発光モジュールのサイズは、可撓性のパッドのサイズより小さくなり得る。そして、可撓性のパッドは、発光エリア（代わりに照射エリアと呼ばれる）及びブラインドエリア（代わりに暗いエリアと呼ばれる）を有し得る。可撓性のパッドの発光エリアにおいて、３次元構造体は突起及び開口を備えるのに対し、ブラインドエリアにおいて、３次元構造体は突起及び凹部を備える。発光エリアにおける突起及びブラインドエリアにおける突起は、同じタイプ（例えば同じ幾何学的なパターンに基づく）及び同じ高さであり得る。可撓性のパッドの表面全体に突起の単一のパターンを用いる利点は、寸法の安定性、見た目及び感触、快適性等がデバイス全体に渡って均一のものとして体験されることにある。代わりに、発光エリアにおける突起及びブラインドエリアにおける突起は、異なるタイプであってもよい。可撓性のパッド全体に渡る異なるパターン又は異なるタイプの突起を用いることの利点は、以下の事実に関連し得る。
（ｉ）可撓性のパッド全体の通気性又は換気要件は、発光エリアとブラインドエリアとの間で異なり得る。
（ｉｉ）ブラインドエリアにおける凹部に対する発光エリアにおける開口（これらの発光素子を含む）の異なる機械的安定性は、異なる突起構造により補償されなければならないかもしれない。
（ｉｉｉ）開口の閉じたパッキングは最適な光分布のために発光エリアにおいて必要とされ得るが、凹部の閉じたパッキングは周縁エリアにおける換気及び汗排出のために最適ではないかもしれない。
【００１６】
一実施形態において、可撓性のパッドは、パッドの中央に発光エリアを有し、ブラインドエリアがその中心を囲む。斯様な可撓性のパッドを有する発光デバイスにおいて、発光モジュール、例えば発光テキスタイルは、複数の開口との複数の発光素子のマッピング又は結合が実行可能であるように、発光エリアの後部に面して配置される。可撓性のパッドのブラインドエリアの後部に面する場合、発光デバイスの他の周辺又は二次的特徴が提供され得る。一次特徴は、コネクタ、センサ、ユーザインタフェース、バッテリ、ドライバエレクトロニクス等のような発光素子である。ブラインドエリアに配置された発光デバイスの周辺又は二次的特徴を有する利点は、以下のとおりである。
（ｉ）発光デバイスは、できるだけフラットに維持され、これにより、発光デバイスの柔軟性及び適合性を向上させる。
（ｉｉ）発光デバイスの全体のサイズ又は表面エリアが増大され、これは、例えばより大きなエリア全体に皮膚接触界面を広げることにより、快適性のためになり得る。
それ故、その追加の快適性及び寸法安定性を提供するために、これは、暗いエリアが照射エリアのサイズ（表面積）の少なくとも半分の大きさ、好ましくは照射エリアと同じサイズ又はそれよりも大きいサイズ（表面積）である場合に有利になり得る。
【００１７】
本発明の他の態様において、先の段落のいずれかにおいて述べられた特徴を有する可撓性のパッドを有する発光デバイスは、ウェアラブル、規格準拠の光線治療デバイスにおいて用いられる。これらは、例えば、上で説明されたような青色光を使用した痛みの軽減のために用いられ得る。代わりに又は追加の赤色／赤外線発光素子が痛みの軽減のために取り込まれ得る。赤色／赤外線の波長は、典型的には、青色波長と比較して、皮膚層により深く侵入する。
【００１８】
本発明の他の目的及び利点は、実施形態を例証することにより、以下に述べられる。
【００１９】
本発明は、請求項中に記載された特徴の全ての考えられる組み合わせに関することに留意されたい。本発明の他の特徴及び本発明による利点は、添付の特許請求の範囲及び以下の説明を研究したときに明らかになるだろう。当業者は、本発明の異なる特徴が以下で述べられたもの以外の実施形態を生成するために組み合わせられ得ることを理解する。
【００２０】
本発明の実施形態の例証は、添付の図面を参照して以下で述べられるだろう。
【図面の簡単な説明】
【００２１】
【図１】本発明の第１の実施形態の全体図である。
【図２】本発明の一実施形態の断面図である。
【図３】本発明の第２の実施形態の全体図である。
【図４】本発明の第３の実施形態の全体図である。
【発明を実施するための形態】
【００２２】
添付の図面において、同一の参照符号は、図の全体にわたって同一又は類似の要素を示す。
【００２３】
本発明は、添付の図面を参照してより完全に述べられるだろう。添付の図面において、本発明の例証となる実施形態が示される。しかしながら、本発明は、多くの異なる形式において具現化されてもよく、ここに記載された実施形態に限定ものと解釈されるべきでない。むしろ、これらの実施形態は、この開示が当業者に対して本発明の範囲を伝えるように例により与えられる。更に、同様の符号は、この文書において同様の又は類似の要素又はコンポーネントに言及する。
【００２４】
図１を参照すると、本発明の第１の実施形態が開示されている。発光デバイス１は、図面上に示すように３次元構造体２を有する可撓性のパッドを有する。構造体は、幾何学的な特徴（この場合円形の特徴）の規則的なパターンを有する。円は、閉じたパッキング方式に従って配置される。円形の特徴の周囲４は、ペーパーの面から突出している。円の表面エリアは、凹部５を提供するためにペーパーの面でへこんでいる。可撓性のパッド２の中央において、円形凹部は、例えば電子テキスタイル上に取り付けられたＬＥＤのような、（図２に示される）可撓性のパッドの後部で発光モジュール１７から発光素子１６と係合する円錐開口６に置換される。開口６を有する可撓性のパッドのエリアは、（図２に示される）発光エリア３１と呼ばれ、これは、図１において、（図２に示される）ブラインドエリア３２と呼ばれる凹部５を有するエリアにより囲まれる。
【００２５】
また、本発明の他の実施形態、例えば図４に示された三角形の特徴３２を伴う図１に示された円形の特徴４及び５を有する一実施形態の断面部分である図２を参照して、円形の突起４は、伸ばされた部分４ａ及び引っ込められた部分４ｂを有し得るが、図面のサイズは、円形の突起４の伸ばされた部分と引っ込められた部分との間の高低差を明確に示さないかもしれない。図１を参照して、３つの隣接する円が適合する円形の突起４の伸ばされた部分４ａが提供され、２つの隣接する円が適合する円形の突起４の引っ込められた部分４ｂが提供される。引っ込められた部分４ｂは、図１に示された線７、８及び９の方向に整列する。これらの方向において、凹部５及び円形の突起の引っ込められた部分４ｂは、交互の態様で整列する。凹部５及び円形の突起の引っ込められた部分４ｂは、発光デバイス１が皮膚に適用されたときに皮膚に接触する突起の伸ばされた部分４ａに対してへこまされるので、凹部５及び引っ込められた部分４ｂの変更は、デバイスが皮膚に適用されたときに換気及び水分排出のための開口チャネルを生成する。図１に示された構成において、換気チャネルは、３つの方向７、８及び９において生成されるだろう。
【００２６】
図３は、本発明の他の実施形態を示しており、可撓性のパッドは、突出している特徴の規則的なパターンを有する３次元構造体を備えており、これらの突出している特徴は、正六角形に基づいている。この実施形態において、六角形の角状点が伸ばされ、六角形の線セグメントが引っ込められる。前記の実施形態によれば、可撓性のパッドは、発光エリア３１と発光エリアを囲むブラインドエリア３２とを有する。
【００２７】
図４は、本発明のさらに他の実施形態を示しており、突起のパターンは、発光エリア３１及び周囲のブラインドエリア３２において異なる。示すように、発光エリア３１において、ひし形のパターンが突出している特徴を構築するために用いられ、これは、発光素子の高密度パッキングを可能にする。ブラインドエリア３２において、長く伸ばされた三角形の特徴が突起として用いられ、これは、突出しているエリアに対して比較的よりくぼんだ領域をもたらす。
【００２８】
形状が幾何学的な形状に基づいて突出している特徴を示す一方で、例えば図３における六角形の角状点が単一の凹部表面における単一の突出しているポイントとして認識され得ることが明らかである。
【００２９】
結論として、発光デバイスが開示される。発光デバイスは、発光デバイスを体の一部に配置して適合させるための可撓性のパッドを有し、可撓性のパッドは、３次元構造体を更に有し、３次元構造体は、発光デバイスが皮膚に適用されているときに、皮膚に接触させるための複数の突起と、発光デバイスが皮膚に適用されているときに、皮膚と可撓性のパッドとの間のクリアランスを生成するための複数の凹部と、複数の発光素子と係合するための複数の開口とを有する。
【００３０】
本発明が添付された図面及び前述の説明において詳細に示され述べられた一方で、斯様な図及び説明は、例証又は単なる例と見なされるべきであり、限定的でない。本発明は、開示された実施形態に限定されない。開示された実施形態に対する他のバリエーションは、図面、開示及び添付の特許請求の範囲の研究から、当業者によって理解され、実施され得る。特定の手段が相互に異なる従属請求項に記載されるという単なる事実は、これらの手段の組合せが有利に用いられ得ないことを示すものではない。請求項中のいかなる参照符号も、その範囲を限定するものとして解釈されるべきでない。
【図１】
2014520586.tif 000003
【図２】
2014520586.tif 000004
【図３】
2014520586.tif 000005
【図４】
2014520586.tif 000006
【国際調査報告】
2014520586.tif 000007
2014520586.tif 000008
2014520586.tif 000009